(57)【要約】      （修正有）【課題】墓参り用手桶及び墓参り用柄杓等の墓参り用具を簡単に収納することができる墓参り用具収納装置及び墓参り用具収納装置を備えた墓を提供する。【解決手段】墓参り用具収納装置１００は、本体１０と、本体の上面に開口が設けられ、開口を介して墓参り用具を内部に挿入可能であると共にこの挿入状態を保持可能な収納部２０と、収納部の少なくとも底部に連設され、収納部と外部とを連通させる連通部３０とを備えている。【選択図】図１
0003216801.tif 000002
【実用新案登録請求の範囲】
【請求項１】
本体と、前記本体の上面に開口が設けられ、該開口を介して墓参り用具を内部に挿入可能であると共に該挿入状態を保持可能な収納部と、前記収納部の少なくとも底部に連設され、前記収納部と外部とを連通させる連通部とを備えていることを特徴とする墓参り用具収納装置。
【請求項２】
前記収納部は、墓参り用手桶を逆さまにして該墓参り用手桶の桶柄部を下方にして挿入し保持可能な桶用収納部と、墓参り用柄杓を逆さまにして該柄杓の杓柄部を下方にして挿入し保持可能な複数の杓用収納部とを備え、
前記桶用収納部は、前記墓参り用手桶の桶柄部の片方の支柱が挿入可能な長さを有すると共に所定深さを有する非貫通長穴として形成され、前記連通部は前記非貫通長穴に連通すると共に該非貫通長孔の長軸と直交する方向に伸長する溝として形成されていることを特徴とする請求項１に記載の墓参り用具収装置。
【請求項３】
前記複数の杓用収納部の各々は前記上面に前記開口を有する貫通穴の開口側の部分で構成され、前記連通部は前記貫通孔の底面側の残りの部分で構成されていることを特徴とする請求項２に記載の墓参り用具収装置。
【請求項４】
前記本体は、上部が前記墓参り用手桶を逆さまにして被るように配置可能な錐台状に形成されると共に、側面に切り欠き部が設けられていることを特徴とする請求項１に記載の墓参り用具収装置。
【請求項５】
前記収納部は、墓参り用柄杓を逆さまにして該柄杓の杓柄部を下方にして挿入し保持可能な複数の杓用収納部を備え、
前記複数の杓用収納部の各々は前記上面に前記開口を有する貫通穴として形成され、前記連通部は前記貫通孔の底面に連通する溝として形成されていることを特徴とする請求項４に記載の墓参り用具収装置。
【請求項６】
請求項１から５のいずれか１項に記載の墓参り用具収納装置と、墓本体とを備えていることを特徴とする墓。
【請求項７】
前記墓本体は、外柵を有し、前記墓参り用具収納装置は、前記外柵の近傍に配置されていることを特徴とする請求項６に記載の墓。
【請求項８】
前記墓本体は、外柵を有し、前記墓参り用具収納装置は、前記外柵の一部として配置されていることを特徴とする請求項６に記載の墓。
【考案の詳細な説明】
【技術分野】
【０００１】
本考案は、墓参り用手桶及び墓参り用柄杓等の墓参り用具を収納するための墓参り用具収納装置及び墓参り用具収納装置を備えた墓に関する。
【背景技術】
【０００２】
墓参りの時に使用される手桶及び柄杓は、通常、墓地に共用で設置された墓地用具の収納整理棚等に多数掛けられていて、そこから手桶及び柄杓を持って墓に行くことが多い。また、手桶及び柄杓が共用の籠の中に多数入れられていて、そこから、必要とする手桶及び柄杓を取り出して墓に持って行くこともある。
【０００３】
墓参りに際しては、これら手桶及び柄杓の他に、ロウソク、線香、マッチ、数珠等の小物の墓地用具を用意して持っていかなければならない場合もあるため、小物の墓地用具を収納する装置が提案されている。例えば、特許文献１に記載の墓参用具の収納装置は、個々の墓を構成する構成要素又はその墓の石製付属品に横若しくは縦に延びる収納孔を設け、その収納孔内に、墓参用具を収納する引出しを、出し入れ可能に設けている。
【先行技術文献】
【特許文献】
【０００４】
【特許文献１】実開平５−２１０６１号公報
【考案の概要】
【考案が解決しようとする課題】
【０００５】
しかしながら、墓地に共用で設置された墓地用具の収納整理棚の場合、整理棚に手桶及び柄杓が混じり合って乱雑に掛けられていたり、籠の中に多数の手桶及び柄杓のみならずちり取りや箒などの墓地用具が整理整頓されずに乱雑に入れられていたりすると、そこから必要とする手桶及び柄杓を探し出して取り出すことは容易ではない。
【０００６】
近年、高齢化時代の到来で墓参り客も増加し、それに伴って、多数の手桶及び柄杓を墓地に設置しなければならないが、設置スペースは不足しがちである。
【０００７】
また、墓参りに来る人の中には、墓地に共用で設置された墓地用具の収納整理棚や籠に収容されている共用の一般的な手桶及び柄杓を使用せずに、自分独自の手桶及び柄杓を使用して墓参りしたいと望む人もいる。しかし、自分独自の手桶及び柄杓を用意するとなると、自動車等の運搬手段が必要であり、また、自動車からお墓までは自ら運搬する必要がある。その場合、花束やちり取りや箒などの掃除用具や鋏や線香などと一緒に運ぶ必要もあり、苦労を強いられることになる。
【０００８】
さらに、使用後の手桶や柄杓等の清掃用具を持ち帰る際に、手桶の桶本体部や柄杓に付着した水があるため、持ち運びがより不便であった。
【０００９】
一方、特許文献１に記載の墓参用具の収納装置を用いれば、ロウソク、線香、マッチ、数珠等の小物の墓地用具を収納することはできるが、手桶や柄杓等の比較的に大きな清掃用具を収納することは困難である。また、引き出し状に構成されているため、製作コストが高いという問題点もあった。
【００１０】
従って、本考案は従来技術の上述した問題点を解消するものであり、本考案の目的は、墓参り用手桶及び墓参り用柄杓等の墓参り用具を簡単に収納することができる墓参り用具収納装置及び墓参り用具収納装置を備えた墓を提供することにある。
【課題を解決するための手段】
【００１１】
本考案によれば、墓参り用具収納装置は、本体と、本体の上面に開口が設けられ、開口を介して墓参り用具を内部に挿入可能であると共にこの挿入状態を保持可能な収納部と、収納部の少なくとも底部に連設され、収納部と外部とを連通させる連通部とを備えている。
【００１２】
例えば石材等から形成された本体の上面に設けられた開口を介して墓参り用具を内部に挿入しこの挿入状態を保持可能な収納部と、この収納部の少なくとも底部に連設され、収納部と外部とを連通させる連通部とを備えることにより、墓参り用手桶及び／又は墓参り用柄杓等の墓参り用具を簡単に収納（立て掛け）することができる。また、墓参り用具を墓参り毎に持ち運ぶ手間が省け、自分専用の手桶や柄杓を置いておくことができる。
【００１３】
収納部は、墓参り用手桶を逆さまにして墓参り用手桶の桶柄部を下方にして挿入し保持可能な桶用収納部と、墓参り用柄杓を逆さまにして柄杓の杓柄部を下方にして挿入し保持可能な複数の杓用収納部とを備え、桶用収納部は、墓参り用手桶の桶柄部の片方の支柱が挿入可能な長さを有すると共に所定深さを有する非貫通長穴として形成され、連通部は非貫通長穴に連通すると共に非貫通長孔の長軸と直交する方向に伸長する溝として形成されていることがより好ましい。このような構成を有することにより、墓参りに使用後の手桶に付着した水や収納部の開口から侵入してきた雨水等を下方に導き、外部に排出することができる。
【００１４】
本体は、上部が墓参り用手桶を逆さまにして被るように配置可能な錐台状に形成されると共に、側面に切り欠き部が設けられていることがより好ましい。
【００１５】
この場合、複数の杓用収納部の各々は上面に開口を有する貫通穴の開口側の部分で構成され、連通部は貫通孔の底面側の残りの部分で構成されていることがより好ましい。このような構成を有することにより、墓参りに使用後の柄杓に付着した水や収納部の開口から侵入してきた雨水等を下方に導き、外部に排出することができる。
【００１６】
収納部は、墓参り用柄杓を逆さまにして柄杓の杓柄部を下方にして挿入し保持可能な複数の杓用収納部を備え、複数の杓用収納部の各々は上面に開口を有する貫通穴として形成され、連通部はこの貫通孔の底面に連通する溝として形成されていることも好ましい。このような構成を有することにより、墓参りに使用後の柄杓に付着した水や収納部の開口から侵入してきた雨水等を下方に導き、外部に排出することができる。
【００１７】
本考案によれば、墓は、上記本考案に係る墓参り用具収納装置と、墓本体とを備えている。これにより、墓において墓参り用手桶及び墓参り用柄杓等の墓参り用具を簡単に収納（立て掛け）することができる。また、墓参り用具を墓参り毎に持ち運ぶ手間が省け、自分専用の手桶や柄杓を置いておくことができる。
【００１８】
墓本体は、外柵を有し、墓参り用具収納装置は、外柵の近傍又は外柵の一部として配置されていることがより好ましい。
【考案の効果】
【００１９】
本考案によれば、墓参り用手桶及び／又は墓参り用柄杓等の墓参り用具を簡単に収納（立て掛け）することができる。また、墓参り用具を墓参り毎に持ち運ぶ手間が省け、自分専用の手桶や柄杓を置いておくことができる。
【図面の簡単な説明】
【００２０】
【図１】本考案の第１の実施形態における墓参り用具収納装置の構成を概略的に示す斜視図である。
【図２】図１の墓参り用具収納装置の構成を概略的に示す正面図及び側面図である。
【図３】図１の墓参り用具収納装置の使用状態を概略的に示す説明図である。
【図４】本考案の第２の実施形態における墓の構成を概略的に示す斜視図である。
【図５】本考案の第３の実施形態における墓の構成を概略的に示す斜視図である。
【図６】本考案の第４の実施形態における墓参り用具収納装置の構成を概略的に示す斜視図である。
【図７】図６の実施形態における墓参り用具収納装置の構成を概略的に示す部分断面図である。
【図８】本考案の第５の実施形態における墓参り用具収納装置の構成を概略的に示す斜視図である。
【図９】図８の実施形態における墓参り用具収納装置の構成を概略的に示す断面図である。
【図１０】本考案の第６の実施形態における墓参り用具収納装置の構成を概略的に示す斜視図である。
【考案を実施するための形態】
【００２１】
以下、本考案に係る墓参り用具収納装置及び墓参り用具収納装置を備えた墓の実施形態を、図面を参照して説明する。
【００２２】
図１は本考案の第１の実施形態における墓参り用具収納装置１００の構成を示しており、図２は図１の墓参り用具収納装置の構成を概略的に示している。図２において、（ａ）は墓参り用具収納装置１００の長辺側の正面を表しており、（ｂ）は（ａ）の左側の側面を表している。図３は墓参り用具収納装置１００を用いて墓参り用手桶１、墓参り用柄杓２及び柄付きたわし３の立て掛けをする際の状態を示している。
【００２３】
図１に示すように、本実施形態における墓参り用具収納装置１００は、本体１０と、収納部２０と、連通部３０とを備えている。本実施形態において、墓参り用手桶１は、例えば、図３に示すように、細長い板を縦に並べ合せて円筒形の側（ガワ）を作成し、底部をつけ、箍（たが）で締め、水などを盛れるように桶本体部１ａと桶柄部（把手部）１ｂとを有する木製の手桶である。墓参り用手桶１をプラスチック製又は金属製の手桶で構成しても良いことはもちろんである。本実施形態において、墓参り用柄杓２は、例えば、図３に示すように、杓本体部（合部）２ａと杓柄部２ｂとを備えた木製の柄杓である。墓参り用柄杓２をプラスチック製又は金属製の柄杓で構成しても良いことはもちろんである。
【００２４】
本体１０は、全体の外側形状が略直方体となるように、例えば石材等を加工して形成されている。石材以外の材料、例えば金属材料、セラミック材料又はプラスチック材料を用いて本体１０を形成しても良い。この本体１０の上面に収納部２０の開口と、本実施形態では連通部３０の開口とが設けられている。収納部２０は、墓参り用具の一部を内部に挿入しこの挿入状態を保持可能に構成されている。連通部３０は、この収納部２０の少なくとも底部に連設され、収納部２０と外部とを連通させるように構成された溝である。
【００２５】
収納部２０は、本実施形態では、例えば、墓参り用手桶１を逆さまにして墓参り用手桶１の本体１ａを上方に、桶柄部１ｂを下方にして挿入し保持可能な単一の桶用収納部２０ａと、墓参り用柄杓２等を逆さまにして墓参り用柄杓２等の本体２ａを上方に、杓柄部２ｂを下方にして挿入し保持可能な複数の杓用収納部２０ｂとによって構成されている。桶用収納部２０ａは所定深さを有する非貫通長孔であり、墓参り用手桶１の桶柄部１ｂの片方の支柱１ｃが挿入可能な長さを有する。複数の杓用収納部２０ｂの各々は貫通円形穴の上面開口側の部分である。これらの杓用収納部２０ｂは、墓参り用柄杓２以外に、柄付きたわし３等も収納可能である。
【００２６】
連通部３０は、本実施形態では、桶用収納部２０ａと外部を連通させる桶用連通部３０ａと、杓用収納部２０ｂと外部を連通させる杓用連通部３０ｂとから構成されている。桶用連通部３０ａは、桶用収納部２０ａである非貫通長穴に連通すると共にこの非貫通長孔の長軸と直交する方向に伸長する溝である。桶用収納部２０ａの深さと桶用連通部３０ａの深さとは同一に構成されている。即ち、桶用収納部２０ａである非貫通長穴の底と桶用連通部３０ａである溝の底とは同一平面上にある。この桶用連通部３０ａである溝の一端には段差３１が設けられており、これにより、墓参りに使用後の墓参り用手桶１に付着した水や、桶用収納部２０ａの開口から侵入してきた雨水等を溝の片方に導いて外部に排出することができる。杓用連通部３０ｂは、貫通円形穴の上面側の部分である杓用収納部２０ｂの下方部分である。即ち、本実施形態では、上部は杓用収納部２０ｂであり下部は杓用連通部３０ｂである、一体的に連通する円形貫通穴から構成されている。これにより、墓参りに使用後の墓参り用柄杓２に付着した水や杓用収納部２０ｂの開口から侵入してきた雨水等を下方に導き、外部に排出することができる。なお、杓用連通部３０ｂの穴径を、その上部の杓用収納部２０ｂの穴径より小さくしても良い。この場合、杓柄部２ｂの挿入深さは杓用収納部２０ｂの深さとなる。
【００２７】
墓参り用手桶１としては、図３に示す、左右両側の支柱１ｃとこの左右両側の支柱１ｃの間に介装された手把持部１ｄとからなる桶柄部（把手部）１ｂを有するような手桶に代えて、桶柄部（把手部）１ｂが、リング状の把手であるような墓参り用手桶１等であっても良い。
【００２８】
墓参り用柄杓２としては、図３に示す、杓本体部（合部）２ａと杓柄部２ｂとを備えたものに代えて、湯、水などを汲み取ることができる他の形態のもの、例えば茶道用具様のものであっても良い。
【００２９】
図３に示すように、墓参り用具収納装置１００を用いて墓参り用手桶１及び墓参り用柄杓２等を収納（立て掛け）する際は、墓参り用手桶１を逆さまにして墓参り用手桶１の桶本体部１ａを上方に、桶柄部１ｂを下方にして片方の支柱１ｃを桶用収納部２０ａに挿入し、手把持部１ｄが連通部３０の中に納まるようにして立て掛け状態とする。この場合、手把持部１ｄが段差３１により支持され、もう片方の支柱１ｃは本体１０の端部に位置するようになる。また、墓参り用柄杓２及び柄付きたわし３を逆さまにして墓参り用柄杓２の杓本体部２ａ及び柄付きたわし３のたわし本体３ａを上方に、杓柄部２ｂ及び３ｂを下方にして挿入して立て掛け状態とする（図４参照）。このように、本実施形態の墓参り用具収納装置１００によれば、墓参り用手桶１、墓参り用柄杓２及び柄付きたわし３等の墓参り用具を簡単に収納することができる。
【００３０】
以上説明したように、本実施形態の墓参り用具収納装置１００は、本体１０の上面に墓参り用具の一部を内部に挿入しこの挿入状態を保持可能な収納部２０の開口が設けられ、この収納部２０の少なくとも底部に連設され、収納部２０と外部とを連通させる連通部３０を備えることにより、墓参り用手桶１、墓参り用柄杓２及び柄付きたわし３等の墓参り用具を簡単に収納（立て掛け）することができる。また、墓参り用具を墓参り毎に持ち運ぶ手間が省け、自分専用の手桶や柄杓を置いておくことができる。
【００３１】
また、収納部２０は、墓参り用手桶を逆さまにして墓参り用手桶１の桶柄部１ｂを下方にして挿入し保持可能な桶用収納部２０ａと、墓参り用柄杓２を逆さまにして柄杓の杓柄部を下方にして挿入し保持可能な複数の杓用収納部２０ｂとを備え、桶用収納部２０ａは所定深さを有する非貫通長穴として形成され、連通部３０は非貫通長穴に連通すると共に非貫通長孔の長軸と直交する方向に伸長する溝として形成されていることで、墓参りに使用後の手桶及び柄杓に付着した水や収納部の開口から侵入してきた雨水等を下方に導き、外部に排出することができる。
【００３２】
本実施形態の墓参り用具収納装置１００において、桶用連通部３０ａは、桶用収納部２０ａと直交する方向に伸長し、桶用収納部２０ａを横切る溝として構成されているが、本考案はこれに限定されるものではない。例えば、桶用収納部２０ａの下部と外部とを連通する水平及び／又は垂直方向の貫通穴で構成するようにしても良い。
【００３３】
図４は本考案の第２の実施形態における墓２００の構成を示している。同図に示すように、本実施形態における墓２００は、墓参り用具収納装置１００と、石材等から構成された墓本体２１０とを備えている。本実施形態における墓参り用具収納装置１００の構成は、第１の実施形態の墓参り用具収納装置１００の場合と同様であるため、その詳細な説明は省略する。
【００３４】
墓本体２１０は、大理石等の石材から形成された竿石２１０ａと、石材等から構成された外柵２１０ｂとを備えている。墓参り用具収納装置１００は、外柵２１０ｂの内側の近傍に設置されている。
【００３５】
これにより、墓参り毎に墓参り用手桶１、墓参り用柄杓２及び柄付きたわし３等の墓参り用具を墓参り毎に持ち運ぶ手間が省け、自分専用の手桶や柄杓を置いておくことができる。
【００３６】
図５は本考案の第３の実施形態における墓３００の構成を示している。同図に示すように、本実施形態における墓３００は、墓参り用具収納装置１００と、石材等から構成された墓本体３１０とを備えている。本実施形態における墓参り用具収納装置１００の構成は、第１の実施形態の墓参り用具収納装置１００の場合と同様であるため、その詳細な説明は省略する。
【００３７】
墓本体３１０は、大理石等の石材から形成された竿石３１０ａと、石材等から構成された外柵３１０ｂとを備えている。墓参り用具収納装置１００は、外柵３１０ｂの墓石の一部として配置されている。
【００３８】
墓参り用具収納装置１００が独立して設置されずに外柵２１０ｂの一部として設置されるため、墓参り用具を収納に利用しない時に目立たない利点があると共に、墓参り毎に墓参り用手桶１、墓参り用柄杓２及び柄付きたわし３等の墓参り用具を墓参り毎に持ち運ぶ手間が省け、自分専用の手桶や柄杓を置いておくことができる。
【００３９】
なお、上述した実施形態の墓参り用具収納装置１００において、収納部２０は、桶用収納部２０ａと、杓用収納部２０ｂとを備える構成例を説明したが、本考案はこれに限定されるものではない。例えば、図６に示すように、墓参り用手桶１を収納する長穴状の桶用収納部２０ａを設けずに、墓参り用柄杓２や柄付きたわし３等を収納する収納部を複数設けても良い。
【００４０】
図６は本考案の第４の実施形態における墓参り用具収納装置１００Ａの構成を概略的に示しており、図７は図６の実施形態における墓参り用具収納装置１００Ａの構成を概略的に示している。ただし、図７（ａ）は図６のＡ−Ａ線の部分断面を、図７（ｂ）は図６のＢ−Ｂ線の部分断面をそれぞれ表している。これらの図に示すように、本実施形態の墓参り用具収納装置１００Ａは、多角錐台状の本体１０Ａと、墓参り用柄杓２や柄付きたわし３等を収納する複数の収納部（杓用収納部）２０Ａと、連通部（杓用連通部）３０Ａとを備えている。
【００４１】
本体１０Ａは、石材等で例えば８角錐台状に形成され、さらにこの８角錐台の側面に所定深さの切り欠き部１１Ａを設けている。８角錐台の下部（大径端側）の切り欠き部１１Ａにより形成された平面部１２Ａに複数の収納部２０Ａの開口が設けられている。８角錐台の下面には、複数の収納部２０Ａの底部に連設され、収納部２０Ａと外部を連通させる連通部３０Ａが設けられている。この本体１０Ａは、上部が墓参り用手桶１を逆さまにして被るように配置可能な８角錐台状に形成されている。
【００４２】
複数の収納部（杓用収納部）２０Ａは、墓参り用柄杓２等を逆さまにして墓参り用柄杓２等の本体２ａを上方に、杓柄部２ｂを下方にして挿入し保持可能な複数の杓用収納部であり、平面部１２Ａに開口した状態で複数、例えば、３つ形成されている。各収納部２０Ａは上下方向に伸長する貫通円形穴から構成されている。これらの収納部２０Ａには、墓参り用柄杓２、柄付きたわし３等を立て掛け、収納可能である。
【００４３】
連通部（杓用連通部）３０Ａは、８角錐台の下面に形成された略半円形状断面を有する溝から構成され、３つの収納部２０Ａと外部を連通させるものである。本実施形態においては、略半円形状断面を有する１本の溝からなる連通部３０Ａが、同一直線上に配列された３つの収納部２０Ａの底面に連通し、さらに、その溝の両端が８角錐台の側面まで延伸して外部に開口している。これにより、３つの収納部２０Ａと外部とを連通させることができ、墓参りに使用後の柄杓等に付着した水や収納部２０Ａの開口から侵入してきた雨水等を下方に導き、連通部３０Ａを介して外部に排出することができる。
【００４４】
墓参り用具収納装置１００Ａを用いて墓参り用手桶１及び墓参り用柄杓２等を収納する際は、墓参り用手桶１を逆さまにして本体１０Ａの上部から被るようにする。また、墓参り用柄杓２及び柄付きたわし３を逆さまにして墓参り用柄杓２の杓本体部２ａ及び柄付きたわし３のたわし本体３ａを上方に、杓柄部２ｂ及び３ｂを下方にして挿入して立て掛け状態とする。このように、本実施形態の墓参り用具収納装置１００Ａによれば、墓参り用手桶１、墓参り用柄杓２及び柄付きたわし３等の墓参り用具を簡単に収納することができる。
【００４５】
図８は本考案の第５の実施形態における墓参り用具収納装置１００Ｂの構成を概略的に示しており、図９は図８のＣ−Ｃ線の断面を表している。これらの図に示すように、本実施形態の墓参り用具収納装置１００Ｂは、本体１０Ｂと、収納部２０Ｂと、連通部３０Ｂとを備えている。
【００４６】
本体１０Ｂは、全体の外側形状が略直方体となるように、例えば石材等を加工して形成されている。石材以外の材料、例えば金属材料、セラミック材料又はプラスチック材料を用いて本体１０Ｂを形成しても良い。この本体１０Ｂの上面に収納部２０Ｂの開口が設けられている。収納部２０Ｂは、墓参り用具の一部を内部に挿入しこの挿入状態を保持可能に構成されている。連通部３０Ｂは、この収納部２０Ｂの少なくとも底部に連設され、収納部２０Ｂと外部とを連通させるように構成される。
【００４７】
収納部２０Ｂは、本実施形態では、例えば、墓参り用手桶１を逆さまにして墓参り用手桶１の本体１ａを上方に、桶柄部１ｂを下方にして挿入し保持可能な桶用収納部２０ｃと、墓参り用柄杓２等を逆さまにして墓参り用柄杓２等の本体２ａを上方に、杓柄部２ｂを下方にして挿入し保持可能な杓用収納部２０ｄとによって構成されている。桶用収納部２０ｃは所定深さを有する長孔であり、墓参り用手桶１の桶柄部１ｂが挿入可能な長さを有する。桶用収納部２０ｃの下部は桶用連通部３０ｃに連通している。杓用収納部２０ｄは上下方向の穴から構成されている。この杓用収納部２０ｄは、墓参り用柄杓２以外に、柄付きたわし３等も収納可能である。杓用収納部２０ｄの下部は、杓用連通部３０ｄに連通している。なお、必要に応じて複数の杓用収納部２０ｄを設けても良い。
【００４８】
連通部３０は、本実施形態では、桶用収納部２０ｃと外部を連通させる桶用連通部３０ｃと、杓用収納部２０ｂと外部を連通させる杓用連通部３０ｂとから構成されている。桶用連通部３０ｃは、桶用収納部２０ｃである長穴の下部に連通すると共にこの長孔の長軸と直交する方向に伸長する溝（切り込み）である。桶用収納部２０ｃである長穴の底と桶用連通部３０ｃとは連通している。これにより、墓参りに使用後の墓参り用手桶１に付着した水や、桶用収納部２０ｃの開口から侵入してきた雨水等を下方に導き、外部に排出することができる。杓用連通部３０ｄは、円形穴である杓用収納部２０ｄの下部に連通すると共にこの杓用収納部２０ｄの軸と直交する方向に伸長する溝（切り込み）である。これにより、墓参りに使用後の墓参り用柄杓２に付着した水や杓用収納部２０ｄの開口から侵入してきた雨水等を下方に導き、外部に排出することができる。
【００４９】
図１０は、本考案の第６の実施形態における墓参り用具収納装置１００Ｃの構成を概略的に示している。図１０に示すように、本実施形態の墓参り用具収納装置１００Ｃは、本体１０Ｃと、収納部２０Ｂ（２０ｃ及び２０ｄ）と、連通部３０Ｂ（３０ｃ及び３０ｄ）と、ロウソク、線香等の墓参り用具を収納する墓参り用具収納部４０とを備えている。
【００５０】
墓参り用具収納部４０は、本体１０Ｂの下部に墓参り用具入れ４１を挿通できる水平方向に設けられた貫通穴である。これにより、本体１０Ｂの両側から墓参り用具入れ４１を挿通できる。墓参り用具入れ４１は、例えば、金属板材等から構成され、前面（正面）にロウソク、線香等の墓参り用具を入れることができる扉が設けられている。また、図１０に示すように、取手を設けても良い。これにより引き出しが容易になる。
【００５１】
上述した墓参り用具収納装置１００Ｂ及び１００Ｃは、第１の実施形態の墓参り用具収納装置１００の場合と同様に、墓の外柵の内側の近傍に設置されても良い。又は、墓の外柵の墓石の一部として配置されても良い。
【００５２】
以上述べた実施形態は全て本考案を例示的に示すものであって限定的に示すものではなく、本考案は他の種々の変形態様及び変更態様で実施することができる。従って本考案の範囲は実用新案登録請求の範囲及びその均等範囲によってのみ規定されるものである。
【符号の説明】
【００５３】
１  墓参り用手桶
１ａ  桶本体部
１ｂ  桶柄部（把手部）
１ｃ  支柱
１ｄ  手把持部
２  墓参り用柄杓
２ａ  杓本体部（合部）
２ｂ、３ｂ  杓柄部
３  柄付きたわし
３ａ  たわし本体
１０、１０Ａ、１０Ｂ、１０Ｃ  本体
１１Ａ  切り欠き部
１２Ａ  平面部
２０、２０Ａ  収納部
２０ａ、２０ｃ  桶用収納部と、
２０ｂ、２０ｄ、２０Ａ  杓用収納部
３０、３０Ａ  連通部
３０ａ、３０ｃ  桶用連通部
３０ｂ、３０Ａ  杓用連通部
３１  段差
４０  墓参り用具収納部
４１  墓参り用具入れ
１００、１００Ａ、１００Ｂ、１００Ｃ  墓参り用具収納装置
２００、３００  墓
２１０、３１０  墓本体
２１０ａ、３１０ａ  竿石
２１０ｂ、３１０ｂ  外柵
【図１】
0003216801.tif 000003
【図２】
0003216801.tif 000004
【図３】
0003216801.tif 000005
【図４】
0003216801.tif 000006
【図５】
0003216801.tif 000007
【図６】
0003216801.tif 000008
【図７】
0003216801.tif 000009
【図８】
0003216801.tif 000010
【図９】
0003216801.tif 000011
【図１０】
0003216801.tif 000012